(57)【特許請求の範囲】
【請求項１】
洗剤シートが収容された洗剤シート収容部と、
リンスシートが収容されたリンスシート収容部と、
被洗濯対象の汚れが付着した箇所に前記洗剤シート又は前記リンスシートを押し当てる際に、前記被洗濯対象を前記洗剤シート又は前記リンスシートとの間に挟み込むために用いられる補助シートが収容された補助シート収容部と
を有し、
前記洗剤シートは、吸水性の素材で形成され、洗剤液が含浸され、
前記洗剤液は、
水中の過酸化水素と反応して炭素数７〜１９のアルキル基を有する有機過酸を生成する有機過酸前駆体と過酸化水素放出体を含有する漂白洗剤組成物と、
タンパク加水分解酵素と、
炭酸水素ナトリウムと、
水と
を含有しており、
前記リンスシートは、吸水性の素材で形成され、リンス液が含浸され、
前記リンス液は、ベンザルコニウム塩化物とクエン酸の少なくとも一方を含む防腐剤と水とを成分とし、
前記洗剤シート収容部と前記リンスシート収容部との間に位置する折部を折って、前記洗剤シート収容部と前記リンスシート収容部とが重ね合わされており、
前記リンスシート収容部と前記補助シート収容部との間に位置する折部を折って、前記リンスシート収容部と前記補助シート収容部とが重ね合わされて畳まれている
携帯洗剤セット。
【請求項２】
前記洗剤シート及び前記リンスシートは、コットン製であり、
前記補助シートは、パルプ製である
請求項１に記載の携帯洗剤セット。
【請求項３】
前記洗剤シートは、
吸水性の素材で形成され、洗剤液が含浸され、
吐出量(g/g)/吸収量(g/g)が０．２９〜０．３５である
請求項１に記載の携帯洗剤セット。
【請求項４】
前記洗剤シートは、
収縮率（％）/復帰率（％）が０．１〜０．４５であり、
前記収縮率は、１１〜６０％であり、
前記復帰率は、６０〜１００％である
請求項３に記載の携帯洗剤セット。
【請求項５】
前記洗剤シートは
前記吐出量は、２〜５(g/g)であり、
前記吸収量は、7〜１３(g/g)である
請求項４に記載の携帯洗剤セット。
【請求項６】
前記リンスシートは、
収縮率（％）/復帰率（％）が０．１〜０．４８であり、
前記収縮率は、２０〜６０％であり、
前記復帰率は、５０〜１００％である
請求項１に記載の携帯洗剤セット。
【請求項７】
前記リンスシートは、
吐出量は、０．４〜５．５（ｇ/ｇ）であり、
吸収量は、７〜１２（ｇ/g）である
請求項６に記載の携帯洗剤セット。
【請求項８】
防水素材で形成され、一部を手で引き剥がして前記洗剤シートが露出する開口部が形成可能な洗剤シートパッケージと、
リンスシートパッケージと
をさらに有し、
前記洗剤シートパッケージが前記洗剤シート収容部に収容されており、
前記リンスシートパッケージが前記リンスシート収容部に収容されている
請求項１に記載の携帯洗剤セット。
【請求項９】
請求項1に記載の携帯洗剤セットを用いて行う洗濯方法であって、
被洗濯対象に請求項１に記載の洗剤シートを押し付ける第１の工程と、
前記第１の工程の後に、請求項１に記載の前記リンスシートと前記補助シートとの間に前記被洗濯対象を挟み込んで押し付ける第２の工程と
を有する洗濯方法。
【請求項１０】
洗剤シートが収容された洗剤シート収容部と、
リンスシートが収容されたリンスシート収容部と、
被洗濯対象の汚れが付着した箇所に前記洗剤シート又は前記リンスシートを押し当てる際に、前記被洗濯対象を前記洗剤シート又は前記リンスシートとの間に挟み込むために用いられる補助シートが収容された補助シート収容部と
を有し、
前記洗剤シートは、吸水性の素材で形成され、洗剤液が含浸され、
前記リンスシートは、吸水性の素材で形成され、リンス液が含浸され、
前記洗剤シート収容部と前記リンスシート収容部との間に位置する折部を折って、前記洗剤シート収容部と前記リンスシート収容部とが重ね合わされており、
前記リンスシート収容部と前記補助シート収容部との間に位置する折部を折って、前記リンスシート収容部と前記補助シート収容部とが重ね合わされて畳まれている
携帯洗剤セット。
【発明の詳細な説明】
【技術分野】
【０００１】
本発明は、服等の被洗濯対象に付着した汚れを除去するための携帯洗剤セット及び洗濯方法に関するものである。
【背景技術】
【０００２】
従来では、外出先等で、衣服等に汚れた着いた場合に、帰宅後等に洗剤を使って洗濯をして汚れを落とすことが一般的である。
【先行技術文献】
【特許文献】
【０００３】
【特許文献１】特開２０１７−１８４９６１号公報
【発明の概要】
【発明が解決しようとする課題】
【０００４】
しかしながら、汚れが衣服等に付着した場合に、時間がたつと、服の生地に浸透して固まり、洗剤を使って洗濯をしても、落ちずにシミとして残ることが多い。
また、洗剤を使って何度もしみ抜きをすると、生地を傷めてしまう。
このような場合に、携帯しているウェットティッシュで、汚れを落とそうとする汚れの残渣が残ってしまう。
【０００５】
すなわち、ウェットティッシュは多孔質のパルプへ合成樹脂をコーティングしており、難溶性である。また、薬液がティシュ表面に保持した状態（ウェット）にして拭き取ることを目的としている。
そのため、薬液が出にくく、被塗物へ薬液を沢山塗りつけることができない。
ウェットティシュは物理的に汚れを洗浄するが、必ず表面には汚れが存在してしまう。薬液に汚れが分解されたとしても、表面には残渣が残る。
なお、ウェットティシュは、収縮率が０％、復帰率が０％、吐出量（ｇ/g)が２．２、吸水量（ｇ/g)が８である。
【０００６】
本発明はかかる事情に鑑みてなされたものであり、その目的は、外出先においても汚れを簡単に洗浄できる携帯可能な携帯洗浄セット及び洗濯方法を提供することにある。
【課題を解決するための手段】
【０００７】
上述した従来技術の問題点を解決し、上述した目的を達成するために、本発明の携帯洗剤セットは、洗剤シートが収容された洗剤シート収容部と、リンスシートが収容されたリンスシート収容部と、被洗濯対象の汚れが付着した箇所に前記洗剤シート又は前記リンスシートを押し当てる際に、前記被洗濯対象を前記洗剤シート又は前記リンスシートとの間に挟み込むために用いられる補助シートが収容された補助シート収容部とを有し、前記洗剤シートは、吸水性の素材で形成され、洗剤液が含浸され、前記洗剤液は、水中の過酸化水素と反応して炭素数７〜１９のアルキル基を有する有機過酸を生成する有機過酸前駆体と過酸化水素放出体を含有する漂白洗剤組成物と、タンパク加水分解酵素と、炭酸水素ナトリウムと、水とを含有しており、前記リンスシートは、吸水性の素材で形成され、リンス液が含浸され、前記リンス液は、ベンザルコニウム塩化物とクエン酸の少なくとも一方を含む防腐剤と水とを成分とし、前記洗剤シート収容部と前記リンスシート収容部との間に位置する折部を折って、前記洗剤シート収容部と前記リンスシート収容部とが重ね合わされており、前記リンスシート収容部と前記補助シート収容部との間に位置する折部を折って、前記リンスシート収容部と前記補助シート収容部とが重ね合わされて畳まれている。
【０００８】
好適には、前記洗剤シート及び前記リンスシートは、コットン製であり、前記補助シートは、パルプ製である。
【０００９】
好適には、前記洗剤シートは、吸水性の素材で形成され、洗剤液が含浸され、吐出量(g/g)/吸収量(g/g)が０．２９〜０．３５である。
【００１０】
好適には、前記洗剤シートは、収縮率（％）/復帰率（％）が０．１〜０．４５であり、前記収縮率は、１１〜６０％であり、前記復帰率は、６０〜１００％である。
【００１１】
好適には、前記洗剤シートは前記吐出量は、２〜５(g/g)であり、前記吸収量は、7〜１３(g/g)である。
【００１２】
好適には、前記リンスシートは、収縮率（％）/復帰率（％）が０．１〜０．４８であり、前記収縮率は、２０〜６０％であり、前記復帰率は、５０〜１００％である。
【００１３】
好適には、前記リンスシートは、吐出量は、０．４〜５．５（ｇ/ｇ）であり、吸収量は、７〜１２（ｇ/g）である。
【００１４】
好適には、防水素材で形成され、一部を手で引き剥がして前記洗剤シートが露出する開口部が形成可能な洗剤シートパッケージと、リンスシートパッケージとをさらに有し、前記洗剤シートパッケージが前記洗剤シート収容部に収容されており、前記リンスシートパッケージが前記リンスシート収容部に収容されている。
【００１５】
本発明の洗濯方法は、上述した携帯洗剤セットを用いて行う洗濯方法であって、被洗濯対象に上述した洗剤シートを押し付ける第１の工程と、前記第１の工程の後に、請求項１に記載の前記リンスシートと前記補助シートとの間に前記被洗濯対象を挟み込んで押し付ける第２の工程とを有する。
【００１６】
本発明の携帯洗剤セットは、洗剤シートが収容された洗剤シート収容部と、リンスシートが収容されたリンスシート収容部と、被洗濯対象の汚れが付着した箇所に前記洗剤シート又は前記リンスシートを押し当てる際に、前記被洗濯対象を前記洗剤シート又は前記リンスシートとの間に挟み込むために用いられる補助シートが収容された補助シート収容部とを有し、前記洗剤シートは、吸水性の素材で形成され、洗剤液が含浸され、前記リンスシートは、吸水性の素材で形成され、リンス液が含浸され、前記洗剤シート収容部と前記リンスシート収容部との間に位置する折部を折って、前記洗剤シート収容部と前記リンスシート収容部とが重ね合わされており、前記リンスシート収容部と前記補助シート収容部との間に位置する折部を折って、前記リンスシート収容部と前記補助シート収容部とが重ね合わされて畳まれている。
【発明の効果】
【００２１】
本発明によれば、外出先においても汚れを簡単に洗浄できる携帯可能な携帯洗浄セット及び洗濯方法を提供することができる。
【図面の簡単な説明】
【００２２】
【図１】図１は、本発明の実施形態に係わる洗剤シートの外観図である。
【図２】図２は、本発明の実施形態に係わるリンスシートの外観図である。
【図３】図３は、本発明の実施形態に係わる補助シートの外観図である。
【図４】図４は、本発明の実施形態に係わる洗濯方法を説明するための図である。
【図５】図５は、本発明の実施形態に係わる洗濯方法を説明するための図４の続きの図である。
【図６】図６は、本発明の実施形態に係わる洗濯方法を説明するための図５の続きの図である。
【図７】図７は、本発明の実施形態に係わる洗濯方法を説明するための図６の続きの図である。
【図８】図８は、本発明の実施形態に係わる洗濯方法を説明するための図７の続きの図である。
【図９】図９は、本発明の実施形態に係わる洗剤セットの展開した状態での正面図である。
【図１０】図１０は、図９に示す洗剤セットを畳んだ状態での正面図である。
【図１１】図１１は、洗剤シートパッケージの一部を指で摘まんで下方に移動することで引き裂かれ開口部が形成され、内部に収容した洗剤セットが露出した状態を説明するための図である。
【発明を実施するための形態】
【００２３】
以下、本発明の実施形態に係わる洗剤シート、リンスシート、携帯洗剤セット及び洗濯方法いついて説明する。
［洗剤シート１１］
図１は、本発明の実施形態に係わる洗剤シート１１の外観図である。
図１に示すように、洗剤シート１１は、吸水性の素材で形成され、例えば、矩形のシート状をしている。
洗剤シート１１には、洗剤液が含侵されている。
洗剤シート１１は、コットン等の繊維を用いて形成され、毛細官現象により、洗剤液の保持と吐出により、被洗濯物に洗剤液を付着させることができる。
【００２４】
洗浄液としては、水中の過酸化水素と反応して炭素数７〜１９のアルキル基を有する有機過酸を生成する有機過酸前駆体と過酸化水素放出体を含有する漂白洗剤組成物と、タンパク加水分解酵素と、炭酸水素ナトリウムと、水とを成分として含有したものが用いられる。
【００２５】
洗剤シート１１への洗剤液の含侵量は、例えば１〜３ｍｌである。
【００２６】
洗剤シート１１は、収縮率（％）/復帰率（％）が０．１〜０．４５であり、特に０．３８の場合に優れた機能を発揮する。
また、洗剤シート１１は、吐出量(g/g)/吸収量(g/g)が０．２９〜０．３５であり、特に０．３２の場合に優れた機能を発揮する。
【００２７】
洗剤シート１１の収縮率は１１〜６０％であり、復帰率は６０〜１００％である。
洗剤シート１１の吐出量は２〜５(g/g)であり、吸収量は、7〜１３(g/g)である。
【００２８】
ここで、収縮率（％）及び復帰率（％）は、以下のように定義される。
洗剤シート１１として４０×４０ｍｍ、厚さＡｍｍを用い、洗剤シート１１に対して１ｋｇの荷重をかけた時の厚さをＢｍｍ、洗剤シート１１から荷重１ｋgを開放した後の厚さをＣｍｍとする。
収縮率(%)＝（Ｂ÷Ａ）×１００
復帰率（％）＝（Ｃ÷Ａ）×１００
【００２９】
吐出量(ｇ／ｇ)及び吸収量(ｇ／ｇ）は、以下のように定義される。
洗剤シート１１として４０×４０ｍｍ、重さＸｇを用い、１分間に吸収した水の重さをＢｇ、荷重１ｋｇを加えて吸水した水を５分間かけて吐出した水の重さをＣｇとする。
吸収量（ｇ／ｇ)=（Ｂ÷Ａ）
吐出量ｇ／ｇ)＝（Ｃ÷Ａ）
【００３０】
洗剤シート１１は、上述したように構成することで、洗剤シート１１を汚れが付着した繊維等の被洗濯物へ押し付けることにより、洗剤液が洗剤シート１１から滲みでて、被洗濯物に浸透（吸収）し、汚れが洗剤液で分解される。
洗剤液が滲みですぎると、汚れを拡散させて、繊維の奥に移動するため、汚れがおちにくくなる。一方、洗剤液の滲みでる量が少ないと、汚れが分解せずに汚れが残る。
【００３１】
洗剤シートの吐出量(g/g)/吸収量(g/g)が０．２９未満の場合、洗剤液の滲みでる量が少なくなり、汚れの落ち易さが低下する。また、洗剤シートの吐出量(g/g)/吸収量(g/g)が０．３５を超える場合、洗剤液の滲みでる量が多すぎるため、汚れの落ち易さが低下する。
【００３２】
また、洗剤シートの収縮率（％）/復帰率（％）が０．１未満の場合、洗剤液の滲みでる量が少なくなり、汚れがおちにくくなる。また、洗剤シートの収縮率（％）/復帰率（％）が０．４５を超える場合、洗剤液の滲みでる量が多くなり、汚れの落ち易さが低下する。
【００３３】
［リンスシート２１］
図２は、本発明の実施形態に係わるリンスシート２１の外観図である。
図２に示すように、リンスシート２１は、例えば、矩形のシート状をしている。
洗剤シート１１は、吸水性の素材で形成され、コットン等の繊維を用いて形成され、毛細官現象により、洗剤液の保持と吐出により、被洗濯物にリンス液を付着させることができる。
図２に示すように、リンスシート２１は、例えば、コットン層２３、コットンＰＥＴ層２５及びコットン層２７の３層構造をしている。
【００３４】
リンスシート２１には、リンス液が含侵されている。リンス液としては、例えば、ベンザルコニウム塩化物とクエン酸の少なくとも一方を含む防腐剤と水とを成分とするものが用いられる。
リンスシート２１へのリンス液の含侵量は、例えば８〜１２ｍｌである。
【００３５】
リンスシート２１の収縮率（％）/復帰率（％）は０．１〜０．４８であり、特に０．４０の場合に優れた機能を発揮する。
リンスシート２１の吐出量(g/g)/吸収量(g/g)は０．０１〜０．２６であり、特に０．０５の場合に優れた機能を発揮する。
【００３６】
リンスシート２１は、このように構成することで、リンスシート２１を汚れが付着した繊維等の被洗濯物に押し付けることにより、リンス液がリンスシート２１から滲みでて、被洗濯物に浸透して、被洗濯物中の洗剤液で分解した汚れをリンス液へ取り込み、被洗濯物の繊維に絡んだ分解した汚れ成分を繊維組織より洗い流す。
【００３７】
リンスシート２１の吐出量(g/g)/吸収量(g/g)が０．０１％未満の場合、リンス液が滲みでる量が少なくなり、分解した汚れの取り込みが少なくなり、汚れ残りを生じやすくなる。
一方、リンスシート２１の吐出量(g/g)/吸収量(g/g)が０．２６％を超えると、リンス液の滲みでる量が多すぎるため、繊維にリンス液が残り乾燥に時間がかかる。補助シートでリンス液を吸収できなくなり、リンス液残りが生じて乾燥が悪くなる。
【００３８】
リンスシート２１の収縮率（％）/復帰率（％）が０．１％未満の場合、リンス液が滲みでる量が少なくなり、分解した汚れの取り込みが少なくなり、汚れ残りを生じやすくなる。
一方、リンスシート２１の収縮率（％）/復帰率（％）が０．４８％を超えると、リンス液の滲みでる量が多すぎるため、繊維にリンス液が残り乾燥に時間がかかる。補助シートでリンス液を吸収できなくなり、リンス液残りが生じて乾燥が悪くなる。
【００３９】
リンスシート２１の収縮率は、２０〜６０％であり、復帰率は、５０〜１００％である。
また、リンスシート２１の吐出量は０．４〜５．５（ｇ/ｇ）であり、吸収量は７〜１２（ｇ/g）である。
【００４０】
［補助シート３１］
図３は、本発明の実施形態に係わる補助シート３１の外観図である。
図３に示すように、補助シート３１は、例えば、矩形のシート状をしている。
補助シート３１は、パルプ製である。
【００４１】
［洗濯方法］
以下、洗剤シート１１、リンスシート２１及び補助シート３１を用いた洗濯方法を説明する。
図４〜図８は、本発明の実施形態に係わる洗濯方法を説明するための図である。
図４に示すように被洗濯対象４１に汚れ（シミ）４３が付着した場合に、洗剤液１５が含侵されている洗剤シート１１を取り出す。
そして、図５に示すように、洗剤シート１１を被洗濯対象４１の汚れ４３が付着した箇所に押し付ける。
次に、これにより、図６に示すように、被洗濯対象４１において洗剤液１５によって汚れ４３が加水分解した、洗剤液１５に内包された汚れ１９となる。
このとき、リンスシート２１の収縮率、復帰率、吐出量、吸収量、並びにそれらの関係を前述したように規定したことで、リンスに最適な吐出性を確保できる。
【００４２】
次に、図７に示すように、リンスシート２１及び補助シート３１を取り出す。
そして、リンスシート２１と補助シート３１とで被洗濯対象４１を挟み込んで、リンスシート２１を被洗濯対象４１に押し当てる。
これにより、リンスシート２１からリンス液２９が被洗濯対象４１に吐出し、汚れ１９を内包した洗剤液１５がリンス液２９に取り込まれる。
このとき、洗剤シート１１の収縮率、復帰率、吐出量、吸収量、並びにそれらの関係を前述したように規定したことで、十分な大きさの収縮性が得られ、復帰性も十分に大きく、且つ吐出性を十分大きくできる。
【００４３】
そして、汚れ１９を内包した洗剤液１５を取り込んだリンス液２９が、補助シート３１に吸収される。この操作を繰り返すことで、図８に示すように、略全てのリンス液２９が補助シート３１に吸収される。
上述したように、洗剤シート１１及びリンスシート２１の収縮率、復帰率、吐出量、吸収量、並びにそれらの関係を規定したことで、汚れを分解、洗い流す効果を高めることができる。
【００４４】
［携帯洗剤セット］
図９は、本発明の実施形態に係わる洗剤セット１の展開した状態での正面図である。
図１０は、図９に示す洗剤セット１を畳んだ状態での正面図である。
図９に示すように、洗剤セット１は、展開した状態で、矩形状をしている。
洗剤セット１は、例えば、それぞれシート状の洗剤シート収容部７１、リンスシート収容部９１及び補助シート収容部１０１が順に位置している。
洗剤シート収容部７１とリンスシート収容部９１とのに折部１１１が位置している。また、リンスシート収容部９１と補助シート収容部１０１との間に折部１１３が位置している。
【００４５】
洗剤シート収容部７１の洗剤シートポケット７３に洗剤シートパッケージ６１の一部が収容される。
洗剤シートパッケージ６１は、防水素材で形成され、図１１に示すように、一部６３を指で摘まんで下方に移動することで引き裂かれ開口部が形成され、内部に収容した洗剤セット１が露出する。
このような構成にしたことで、指で洗剤セット１を直接触れることなく、洗剤セット１を被洗濯対象４１に押し付けることができる。
【００４６】
リンスシート収容部９１のリンスシートポケット９３にリンスシートパッケージ８１の一部が収容される。
リンスシートパッケージ８１は、防水素材で形成され、一部８３を指で摘まんで下方に移動することで引き裂かれ開口部が形成され、内部に収容したリンスシート２１が露出する。
このような構成にしたことで、指でリンスシート２１を直接触れることなく、リンスシート２１を被洗濯対象４１に押し付けることができる。
【００４７】
補助シート収容部１０１の補助シートポケット１０３に補助シート３１の一部が収容される。
【００４８】
洗剤セット１は、例えば、図９に示す折部１１３で折って補助シート収容部１０１をリンスシートポケット９３に重ね合わせた後に、折部１１１で折って補助シート収容部１０１に洗剤シート収容部７１を重ね合わせることで、図１０に示すように畳むことができ、携帯に便利である。
【００４９】
すなわち、本実施形態によれば、洗剤セット１を携帯可能なサイズにできるため、洗剤セット１を携帯することで、外出先においても汚れを簡単に洗浄できる。
また、洗剤セット１では、洗剤シート１１だけでなく、リンスシート２１を用いることができるので高い洗浄効果を発揮できる。
【００５０】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００５１】
例えば、上述した実施形態では、洗剤シート１１、リンスシート２１及び補助シート３１として矩形シート状のものを例示したが、これらの形状は任意である。
【００５２】
また、上述した洗剤セット１では、洗剤シート収容部７１、リンスシート収容部９１及び補助シート収容部１０１を設けた場合を例示したが、洗剤シート収容部７１及びリンスシート収容部９１のみを設けてもよい。
【産業上の利用可能性】
【００５３】
本発明は洗剤や洗濯事業に適用可能である。
【符号の説明】
【００５４】
１…洗剤セット
１１…洗剤シート
１５…洗剤液
１９…汚れ
２１…リンスシート
２３…コットン層
２５…コットンＰＥＴ層
２７…コットン層
２９…リンス液
３１…補助シート
４１…被洗濯対象
４３…汚れ
６１…洗剤シートパッケージ
７１…洗剤シート収容部
７３…洗剤シートポケット
８１…リンスシートパッケージ
９１…リンスシート収容部
９３…リンスシートポケット
１０１…補助シート収容部
１０３…補助シートポケット
【要約】
【課題】外出先においても汚れを簡単に洗浄できる携帯可能な洗剤シート、リンスシート、携帯洗浄セット及び洗濯方法を提供する。
【解決手段】  洗剤セット１は、例えば、それぞれシート状の洗剤シート収容部７１、リンスシート収容部９１及び補助シート収容部１０１が順に位置している。洗剤シート収容部７１には洗剤シートパッケージ６１が収容され、リンスシート収容部９１にはリンスシートパッケージ８１が収容され、補助シート収容部１０１には補助シート３１が収容されている。
【選択図】図９【図１】
0006742644.tif 000002
【図２】
0006742644.tif 000003
【図３】
0006742644.tif 000004
【図４】
0006742644.tif 000005
【図５】
0006742644.tif 000006
【図６】
0006742644.tif 000007
【図７】
0006742644.tif 000008
【図８】
0006742644.tif 000009
【図９】
0006742644.tif 000010
【図１０】
0006742644.tif 000011
【図１１】
0006742644.tif 000012